【手続補正書】
【提出日】令和2年7月21日(2020.7.21)
【手続補正１】
【補正対象書類名】特許請求の範囲
【補正対象項目名】全文
【補正方法】変更
【補正の内容】
【特許請求の範囲】
【請求項１】
第１条件の成立に基づいて、第１判別を実行し、第２条件の成立に基づいて、第２判別を実行することが可能な判別手段と、
その判別手段による前記第１判別の判別結果である第１判別結果を示すための第１識別情報が表示される第１表示領域と、前記判別手段による前記第２判別の判別結果である第２判別結果を示すための第２識別情報が表示される第２表示領域とを有した表示手段と、
その表示手段に特定の前記第１判別結果を示すための第１識別情報または特定の前記第２判別結果を示すための第２識別情報が表示された場合に、遊技者に有利となる特典遊技を実行することが可能な特典遊技実行手段と、を有した遊技機において、
前記表示手段に前記第１識別情報を動的表示させることが可能な第１動的表示実行手段と、
その第１動的表示実行手段により前記第１識別情報の動的表示が実行されている期間に、前記表示手段に前記第２識別情報の動的表示を開始させることが可能な第２動的表示実行手段と、
前記第１動的表示実行手段により動的表示される前記第１識別情報の動的表示期間と、
前記第２動的表示実行手段により動的表示される前記第２識別情報の動的表示期間とをそれぞれ決定することが可能な動的表示期間決定手段と、
その動的表示期間決定手段により前記第１識別情報の動的表示期間を決定するための複数の動的表示期間が設定された第１動的表示期間群と前記第２識別情報の動的表示期間を決定するための複数の動的表示期間が設定された第２動的表示期間群とをそれぞれ決定することが可能な群決定手段と、
前記第２識別情報が動的表示されている場合に前記第２条件が成立したことに基づいて、所定回数まで前記判別手段による前記第２判別の実行権利を記憶することが可能な記憶手段と、
予め定められた第１特定条件が成立している場合に、前記第１識別情報の動的表示が実行されている期間に前記第２識別情報の動的表示が開始された場合には、前記第１表示領域および前記第２表示領域よりも大きい特定表示領域において特定演出の実行を開始し、前記第２識別情報の動的表示が実行されていない期間であって前記第１識別情報の動的表示が実行されている場合には、前記特定演出の実行を開始しないことが可能な特定演出実行手段と、
前記第１識別情報の動的表示期間よりも長い前記第２識別情報の動的表示期間を決定し易く構成されており、前記特典遊技が実行されていない場合には、前記記憶手段に前記実行権利が記憶され難くし、前記特典遊技が実行されている場合には、前記記憶手段に前記実行権利が記憶され易くすることが可能な実行権利制御手段と、を有し、
前記群決定手段は、可変条件が成立した場合に、決定した前記第１動的表示期間群または前記第２動的表示期間群を変更することが可能であり、
前記遊技機は、
前記特定演出実行手段により前記特定演出が実行されている期間に、前記特定の前記第１判別結果を示すための前記第１識別情報が、前記第２識別情報よりも先に前記第１表示領域に停止表示されたことに基づいて、前記特定演出を強制的に終了させて、前記特定の前記第１判別結果であることを識別可能な演出を実行することが可能であり、
前記第２識別情報の動的表示期間よりも前記第１識別情報の動的表示期間の方が短い動的表示期間が決定され易くなるように前記群決定手段により前記第１動的表示期間群と前記第２動的表示期間群とが決定されている場合に、予め定められた第２特定条件が成立したことに対応して特殊報知態様を前記特定表示領域に表示可能であることを特徴とする遊技機。
【請求項２】
前記表示手段は、液晶ディスプレイで構成されることを特徴とする請求項１記載の遊技機。
【手続補正２】
【補正対象書類名】明細書
【補正対象項目名】０００２
【補正方法】変更
【補正の内容】
【０００２】
パチンコ機などの遊技機は、遊技盤面上に設けられた始動口に遊技球が入球すると、遊技の当否が抽選され、その抽選結果が当たりであった場合には、遊技者に有利となる特典遊技が実行されるものがある。
【手続補正３】
【補正対象書類名】明細書
【補正対象項目名】０００６
【補正方法】変更
【補正の内容】
【０００６】
この目的を達成するために本発明の遊技機は、第１条件の成立に基づいて、第１判別を実行し、第２条件の成立に基づいて、第２判別を実行することが可能な判別手段と、その判別手段による前記第１判別の判別結果である第１判別結果を示すための第１識別情報が表示される第１表示領域と、前記判別手段による前記第２判別の判別結果である第２判別結果を示すための第２識別情報が表示される第２表示領域とを有した表示手段と、その表示手段に特定の前記第１判別結果を示すための第１識別情報または特定の前記第２判別結果を示すための第２識別情報が表示された場合に、遊技者に有利となる特典遊技を実行することが可能な特典遊技実行手段と、を有し、前記表示手段に前記第１識別情報を動的表示させることが可能な第１動的表示実行手段と、その第１動的表示実行手段により前記第１識別情報の動的表示が実行されている期間に、前記表示手段に前記第２識別情報の動的表示を開始させることが可能な第２動的表示実行手段と、前記第１動的表示実行手段により動的表示される前記第１識別情報の動的表示期間と、前記第２動的表示実行手段により動的表示される前記第２識別情報の動的表示期間とをそれぞれ決定することが可能な動的表示期間決定手段と、その動的表示期間決定手段により前記第１識別情報の動的表示期間を決定するための複数の動的表示期間が設定された第１動的表示期間群と前記第２識別情報の動的表示期間を決定するための複数の動的表示期間が設定された第２動的表示期間群とをそれぞれ決定することが可能な群決定手段と、前記第２識別情報が動的表示されている場合に前記第２条件が成立したことに基づいて、所定回数まで前記判別手段による前記第２判別の実行権利を記憶することが可能な記憶手段と、予め定められた第１特定条件が成立している場合に、前記第１識別情報の動的表示が実行されている期間に前記第２識別情報の動的表示が開始された場合には、前記第１表示領域および前記第２表示領域よりも大きい特定表示領域において特定演出の実行を開始し、前記第２識別情報の動的表示が実行されていない期間であって前記第１識別情報の動的表示が実行されている場合には、前記特定演出の実行を開始しないことが可能な特定演出実行手段と、前記第１識別情報の動的表示期間よりも長い前記第２識別情報の動的表示期間を決定し易く構成されており、前記特典遊技が実行されていない場合には、前記記憶手段に前記実行権利が記憶され難くし、前記特典遊技が実行されている場合には、前記記憶手段に前記実行権利が記憶され易くすることが可能な実行権利制御手段と、を有し、前記群決定手段は、可変条件が成立した場合に、決定した前記第１動的表示期間群または前記第２動的表示期間群を変更することが可能であり、前記遊技機は、前記特定演出実行手段により前記特定演出が実行されている期間に、前記特定の前記第１判別結果を示すための前記第１識別情報が、前記第２識別情報よりも先に前記第１表示領域に停止表示されたことに基づいて、前記特定演出を強制的に終了させて、前記特定の前記第１判別結果であることを識別可能な演出を実行することが可能であり、前記第２識別情報の動的表示期間よりも前記第１識別情報の動的表示期間の方が短い動的表示期間が決定され易くなるように前記群決定手段により前記第１動的表示期間群と前記第２動的表示期間群とが決定されている場合に、予め定められた第２特定条件が成立したことに対応して特殊報知態様を前記特定表示領域に表示可能である。
【手続補正４】
【補正対象書類名】明細書
【補正対象項目名】０００９
【補正方法】変更
【補正の内容】
【０００９】
本発明の遊技機によれば、第１条件の成立に基づいて、第１判別を実行し、第２条件の成立に基づいて、第２判別を実行することが可能な判別手段と、その判別手段による前記第１判別の判別結果である第１判別結果を示すための第１識別情報が表示される第１表示領域と、前記判別手段による前記第２判別の判別結果である第２判別結果を示すための第２識別情報が表示される第２表示領域とを有した表示手段と、その表示手段に特定の前記第１判別結果を示すための第１識別情報または特定の前記第２判別結果を示すための第２識別情報が表示された場合に、遊技者に有利となる特典遊技を実行することが可能な特典遊技実行手段と、を有し、前記表示手段に前記第１識別情報を動的表示させることが可能な第１動的表示実行手段と、その第１動的表示実行手段により前記第１識別情報の動的表示が実行されている期間に、前記表示手段に前記第２識別情報の動的表示を開始させることが可能な第２動的表示実行手段と、前記第１動的表示実行手段により動的表示される前記第１識別情報の動的表示期間と、前記第２動的表示実行手段により動的表示される前記第２識別情報の動的表示期間とをそれぞれ決定することが可能な動的表示期間決定手段と、その動的表示期間決定手段により前記第１識別情報の動的表示期間を決定するための複数の動的表示期間が設定された第１動的表示期間群と前記第２識別情報の動的表示期間を決定するための複数の動的表示期間が設定された第２動的表示期間群とをそれぞれ決定することが可能な群決定手段と、前記第２識別情報が動的表示されている場合に前記第２条件が成立したことに基づいて、所定回数まで前記判別手段による前記第２判別の実行権利を記憶することが可能な記憶手段と、予め定められた第１特定条件が成立している場合に、前記第１識別情報の動的表示が実行されている期間に前記第２識別情報の動的表示が開始された場合には、前記第１表示領域および前記第２表示領域よりも大きい特定表示領域において特定演出の実行を開始し、前記第２識別情報の動的表示が実行されていない期間であって前記第１識別情報の動的表示が実行されている場合には、前記特定演出の実行を開始しないことが可能な特定演出実行手段と、前記第１識別情報の動的表示期間よりも長い前記第２識別情報の動的表示期間を決定し易く構成されており、前記特典遊技が実行されていない場合には、前記記憶手段に前記実行権利が記憶され難くし、前記特典遊技が実行されている場合には、前記記憶手段に前記実行権利が記憶され易くすることが可能な実行権利制御手段と、を有し、前記群決定手段は、可変条件が成立した場合に、決定した前記第１動的表示期間群または前記第２動的表示期間群を変更することが可能であり、前記遊技機は、前記特定演出実行手段により前記特定演出が実行されている期間に、前記特定の前記第１判別結果を示すための前記第１識別情報が、前記第２識別情報よりも先に前記第１表示領域に停止表示されたことに基づいて、前記特定演出を強制的に終了させて、前記特定の前記第１判別結果であることを識別可能な演出を実行することが可能であり、前記第２識別情報の動的表示期間よりも前記第１識別情報の動的表示期間の方が短い動的表示期間が決定され易くなるように前記群決定手段により前記第１動的表示期間群と前記第２動的表示期間群とが決定されている場合に、予め定められた第２特定条件が成立したことに対応して特殊報知態様を前記特定表示領域に表示可能である。よって、遊技者の興趣を向上できるという効果がある。